(57)【要約】【課題】電子番組ガイドにおいて連続テレビ番組を一目で識別できるように表示し、連続テレビ番組の録画予約を行い易くした録画装置を提供する。【解決手段】ユーザによるテレビ番組の録画予約時、制御部４は、まず、ＥＰＧをテレビジョン１０１で表示する。そして、このＥＰＧの中に連続テレビ番組があれば、制御部４は、ＥＰＧの中の連続テレビ番組を、他のテレビ番組の表示形態と異なる第１の表示形態でテレビジョン１０１に表示させる。これにより、テレビジョン１０１において、例えば図４に示すようなEPGの画像が画面に表示される。そして、ユーザは、このＥＰＧを見ながらテレビ番組を録画予約する。そのため、ユーザは連続テレビ番組をＥＰＧにおいて一目で識別できる。【選択図】  図４
2009111560.tif 000002
【特許請求の範囲】
【請求項１】
放送局から放送されてくるディジタル放送波を受信し、選択されているチャンネルのテレビ番組の番組データと、全テレビ番組の放送予定を示す電子番組表データと、を抽出する受信手段と、
録画予約に従って、前記受信手段で抽出される前記番組データをメディアに記録する録画手段と、
前記受信手段で抽出される前記電子番組表データに基づく電子番組表を画面に表示する表示手段と、を備える録画装置において、
前記電子番組表の中に、複数回に渡って放送される連続テレビ番組があるかどうか判定する判定手段と、
前記電子番組表の中に前記連続テレビ番組があると前記判定手段が判定すると、前記電子番組表において、前記連続テレビ番組を、他のテレビ番組の表示形態と異なる第１の表示形態で表示するよう前記表示手段に指示する表示制御手段と、
前記電子番組表が前記表示手段で表示されている状態で、前記録画予約すべきテレビ番組の指定を受付ける予約受付手段と、を備える録画装置。
【請求項２】
前記連続テレビ番組が既に録画予約されているテレビ番組と重なる場合、その重なる部分を、前記他のテレビ番組の表示形態および前記第１の表示形態と異なる第２の表示形態で表示するよう前記表示手段に指示する請求項１に記載の録画装置。
【請求項３】
前記表示形態は、前記テレビ番組の番組名を示す文字の色、又は該文字の背景の色である請求項１又は２に記載の録画装置。
【請求項４】
前記電子番組表において、前記連続テレビ番組を、前記第１の表示形態で表示するか、前記他のテレビ番組と同じ表示形態で表示するか、を切替える切替手段を備える請求項１から３のいずれかに記載の録画装置。
【請求項５】
前記メディアは、ＤＶＤ又はブルーレイディスクである請求項１から４のいずれかに記載の録画装置。
【発明の詳細な説明】
【技術分野】
【０００１】
本発明は、電子番組表を表示し、その電子番組表によりテレビ番組の録画予約を行う録画装置に関するものである。
【背景技術】
【０００２】
ユーザによって設定される録画予約に従って、ディジタル放送で放送されるテレビ番組をメディアに録画する録画装置が一般に広く普及している。該メディアは、例えばＤＶＤである。
【０００３】
また、現行のディジタル放送では、テレビ番組の他に、番組情報が放送されている。詳述すると、放送局は、番組情報として、数時間先の番組内容や、チャンネル内容等を送出する。また、受信側の録画装置は、放送局側から伝送されてきた該番組情報を受信する。そして、録画装置は、該番組情報から電子番組ガイド（EPG：Electronic Program Guide）を作成し、表示画面上でその電子番組ガイドをユーザに提供している。
【０００４】
近年、放送の多チャンネル化によってテレビ番組の内容も多種多様化しているが、この電子番組ガイドを利用することによって、ユーザは、録画予約を簡単に行うことができる。
なお、特許文献１では、情報受信装置が提案されている。
【特許文献１】特開２００４−０５６７９５公報
【発明の開示】
【発明が解決しようとする課題】
【０００５】
しかしながら、上記電子番組ガイドには、複数回に渡って放送される連続テレビ番組の情報も、他のテレビ番組の情報と区別なく記述されている。そのため、連続テレビ番組を録画予約したい場合、ユーザは、その連続テレビ番組の全てを電子番組ガイドの中から探さなければならなかった。多くの情報が記述されている電子番組ガイドの中から連続テレビ番組の全てを見つけるのは困難である。従って、従来の録画装置では、ユーザが連続テレビ番組を録画予約することが難しかった。
【０００６】
本発明はこのような従来の課題を解決しようとするものであり、電子番組ガイドにおいて連続テレビ番組を一目で識別できるように表示し、連続テレビ番組の録画予約を行い易くした録画装置を提供することを目的とする。
【課題を解決するための手段】
【０００７】
本発明の録画装置は、前記課題を解決するために以下の構成を備えている。
【０００８】
（１）放送局から放送されてくるディジタル放送波を受信し、選択されているチャンネルのテレビ番組の番組データと、全テレビ番組の放送予定を示す電子番組表データと、を抽出する受信手段と、
録画予約に従って、前記受信手段で抽出される前記番組データをメディアに記録する録画手段と、
前記受信手段で抽出される前記電子番組表データに基づく電子番組表を画面に表示する表示手段と、を備える録画装置において、
前記電子番組表の中に、複数回に渡って放送される連続テレビ番組があるかどうか判定する判定手段と、
前記電子番組表の中に前記連続テレビ番組があると前記判定手段が判定すると、前記電子番組表において、前記連続テレビ番組を、他のテレビ番組の表示形態と異なる第１の表示形態で表示するよう前記表示手段に指示する表示制御手段と、
前記電子番組表が前記表示手段で表示されている状態で、前記録画予約すべきテレビ番組の指定を受付ける予約受付手段と、を備える。
【０００９】
この構成において、メディアは、例えば半導体メモリ、ハードディスク、又は光ディスクである。電子番組表は、例えば電子番組ガイドである。
この構成では、ユーザによるテレビ番組の録画予約時を想定している。例えばユーザが録画予約時に電子番組表の表示を指示すると、判定手段は、電子番組表の中に連続テレビ番組があるかどうか判定する。電子番組表の中に連続テレビ番組がある場合、表示制御手段が上記指示を表示手段に出す。これにより、第１の表示形態で示される連続テレビ番組と、通常の表示形態で示される他のテレビ番組と、を含む電子番組表が表示手段で表示される。そして、ユーザは、その電子番組表を見ながらテレビ番組を予約受付手段で録画予約する。そのため、ユーザは連続テレビ番組を電子番組表において一目で識別できる。従って、連続テレビ番組の録画予約を行い易くすることができる。
【００１０】
（２）前記連続テレビ番組が既に録画予約されているテレビ番組と重なる場合、その重なる部分を、前記他のテレビ番組の表示形態および前記第１の表示形態と異なる第２の表示形態で表示するよう前記表示手段に指示する。
【００１１】
この構成では、第１の表示形態で示される連続テレビ番組と、第２の表示形態で示される、録画予約の重なるテレビ番組と、通常の表示形態で示される他のテレビ番組と、を含む電子番組表が表示手段で表示される。そして、ユーザは、その電子番組表を見ながらテレビ番組を予約受付手段で録画予約する。そのため、ユーザは録画予約の重なる部分を電子番組表において一目で識別できる。従って、録画予約の失敗を減らすことができる。
【００１２】
（３）前記表示形態は、前記テレビ番組の番組名を示す文字の色、又は該文字の背景の色である。
【００１３】
（４）前記電子番組表において、前記連続テレビ番組を、前記第１の表示形態で表示するか、前記他のテレビ番組と同じ表示形態で表示するか、を切替える切替手段を備える。
【００１４】
この構成により、ユーザは、連続テレビ番組を、電子番組表中で一目で識別できるようにするかどうか、自分の使用方法に応じて切替えできる。従って、ユーザの使い勝手が向上できる。
【００１５】
（５）前記メディアは、ＤＶＤ又はブルーレイディスクである。
【発明の効果】
【００１６】
この発明によれば、ユーザは連続テレビ番組を電子番組表において一目で識別できる。従って、連続テレビ番組の録画予約を行い易くすることができる。
【発明を実施するための最良の形態】
【００１７】
以下、本発明の実施形態である光ディスク装置について説明する。
【００１８】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録読取部３と、ユーザによる入力操作を受け付ける操作部５と、情報を表示する表示部７と、データを記憶する記憶部６と、音声データをアナログの再生音声信号に変換する音声出力部１１と、画像データをアナログの再生画像信号に変換する画像出力部１３と、デコードされた画像データに基づく画像にＯＳＤ（On Screen Display）画像を重ね合わせた合成画像を生成するＯＳＤ処理部１２と、ＴＶ放送信号を受信してＡＶ（オーディオ・ビデオ）データ等を取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、ＤＶＤ−ＲＡＭ、又はブルーレイディスクである。
【００１９】
ここで、ＰＵヘッド２、および記録読取部３が、本発明の「録画手段」に相当する。また、表示部７又はテレビジョン１０１が、本発明の「表示手段」に相当する。また、制御部４が、本発明の「判定手段」及び「表示制御手段」に相当する。また、操作部５が、本発明の「予約受付手段」に相当する。
【００２０】
PUヘッド２は、レーザダイオード（ＬＤ）、コリメータレンズ、ビームスプリッタ、対物レンズ、フォトディテクタ、スレッドモータ、ｓ及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。ＬＤは、レーザ光を出力する光源である。フォトディテクタは、複数の受光素子で形成されており、光ディスク１００からの反射光を検出する。
【００２１】
まず、録画を行う部分の説明を行う。
受信部１０は、例えばディジタルチューナである。受信部１０は、放送局から伝送されるＴＶ放送信号を、アンテナ（不図示）を介して受信する。さらに、受信部１０は、該ＴＶ放送信号から、選択されているチャンネルで放送されるＴＶ放送信号を抽出し、復調してディジタルデータを取り出す。そして、受信部１０は、そのトランスポートストリームを記録読取部３に出力する。このディジタルデータは、所謂トランスポートストリームである。また、ディジタルデータには、ＭＰＥＧでエンコードされたＡＶデータ（番組データ）と、ＥＰＧデータと、が含まれる。ＥＰＧデータは、放送局から随時伝送されてくるデータである。そのため、野球番組などの急な延長にも対応できるようになっている。
【００２２】
記録読取部３は、記録データを一時的に格納するバッファＲＡＭ３Ａを内蔵する。記録読取部３は、受信部１０から出力されたトランスポートストリームから、画像データと音声データとEPGデータとを分離抽出する。そして、記録読取部３は、抽出した画像と音声等のデータをバッファＲＡＭ３Ａに一旦格納するとともに順次読み出し、ＰＵヘッド２に出力する。
【００２３】
ＰＵヘッド２は、記録読取部３からディジタル信号が入力されると、このディジタル信号に応じて記録パワーのレーザ光を制御し、光ディスク１００の記録面に照射する。これにより、テレビ番組などのコンテンツが、光ディスク１００に記録される。
【００２４】
一方、記録読取部３は、分離したＥＰＧデータを制御部４に出力する。そして、制御部４は、記録読取部３から出力されたEPGデータを記憶部６に記録する（正確には最新の情報に更新する）。ここで、EPGデータは、ＥＰＧ（電子番組ガイド）を構成するデータである。EPGデータには、各チャンネルで放送されているテレビ番組の属性（テレビ番組名、テレビ番組のチャンネル、テレビ番組の放送開始時刻および放送終了時刻等）が記述されている。
【００２５】
次に、再生を行う部分の説明を行う。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２６】
記録読取部３は、さらに、再生データを一時的に格納するバッファＲＡＭ３Ｂを内蔵する。記録読取部３は、ＰＵヘッド２における複数の受光素子の出力に基づいてＲＦ信号を生成し、前記ＲＦ信号を増幅する。そして、記録読取部３は、前記ＲＦ信号を処理してデータを取り出す。ここで、取り出される画像と音声等のデータは、例えばＭＰＥＧでエンコードされている。そして、記録読取部３は、制御部４の指示に基づいて、取り出した画像と音声等のデータをバッファＲＡＭ３Ｂに一旦格納するとともに順次読み出す。そして、記録読取部３は、読み出した画像と音声等のデータをデコードする。最後に、記録読取部３は、音声データを音声出力部１１に、画像データをＯＳＤ処理部１２に、両データの同期を取りながら、それぞれ出力する。
【００２７】
音声出力部１１は、伸長された音声データをアナログの再生音声信号に変換し、その再生音声信号を外部のテレビジョン１０１に出力する。
【００２８】
ＯＳＤ処理部１２は、ＯＳＤ画像を示すＯＳＤ用データを格納する画像メモリ（不図示）を内臓する。ＯＳＤ処理部１２は、制御部４から伝送される制御信号に基づいて、画像データをスルーして直接出力する場合と、画像データに基づく画像にＯＳＤ画像を重ね合わせた合成画像を生成してその合成画像データを出力する場合と、ＯＳＤ画像だけのＯＳＤ画像データを出力する場合と、で動作を切り替える。この３パターンの動作は、制御部４の制御によって切替えられる。また、ＯＳＤ処理部１２は、ＯＳＤ画像の表示形態（色など）を変更する機能を有する。
【００２９】
また、画像出力部１３は、入力された画像データ、ＯＳＤ画像データまたは合成画像データのいずれかをアナログの再生画像信号に変換し、外部のテレビジョン１０１に出力する。これにより、ユーザは、テレビジョン１０１において、再生画像信号に基づく画像、及び再生音声信号に基づく音声を視聴することができる。
【００３０】
操作部５は、ユーザが光ディスク装置１に対して各種の命令（コマンド）を入力するためのものである。操作部５には、複数のキーが設けられている。光ディスク装置１に対してユーザが入力したコマンドは、操作部５から制御部４に伝送される。
上記複数のキーの中には、録画予約を行う録画予約モードを実行するための録画予約キーと、後述の図３で示すＥＰＧにおいてカーソル１５の移動を受付けるカーソルキーと、録画予約モードにおいて録画予約すべきテレビ番組の指定を受付ける予約受付キーと、が含まれる。
【００３１】
記憶部６は、例えばＥＥＰＲＯＭで構成されている。記憶部６は、光ディスク装置１の各部の制御方法が記述された制御プログラムを記憶する。また、記憶部６は、ユーザにより録画予約された内容（テレビ番組名やチャンネルや放送時刻など）を記憶する。
【００３２】
表示部７は、例えばLCD（Liquid Crystal Display）で構成される。表示部７は、時刻、光ディスク装置１の設定状態などを表示する。
【００３３】
制御部４は、例えばマイクロコンピュータで構成されている。さらに、制御部４は、上記制御プログラムで処理されるデータを展開するためのワークフィールドとしてのＲＡＭ（不図示）と、現在時刻を計時するタイマー回路（不図示）と、を内臓する。制御部４は、光ディスク装置１にユーザから入力された命令に応じて光ディスク装置１の各部の動作を制御する。
【００３４】
図２は、本発明の実施形態である光ディスク装置の制御部が行う動作を示すフローチャートである。この動作は、ユーザが録画予約キーを押下した時の動作である。この図では、ユーザによるテレビ番組の録画予約時を想定している。制御部４は、図２に示す録画予約モードを実行する。
【００３５】
まず、制御部４は、ＥＰＧをテレビジョン１０１で表示する（Ｓ１）。詳述すると、制御部４は、記憶部６に記憶されているEPGデータを読出し、ＯＳＤ処理部１２に出力する。すると、ＯＳＤ処理部１２は、EPGデータをＯＳＤ画像データに変換する。そして、ＯＳＤ処理部１２は、そのＯＳＤ画像データを単独で、画像出力部１３に出力する。そして、ＯＳＤ処理部１２は、そのＯＳＤ画像データを画像出力部１３に出力する。これにより、テレビジョン１０１において、例えば図３に示すようなEPGの画像が表示される。
【００３６】
図３は、テレビジョン１０１に表示されるEPG画面の一例を示す図である。この図では、１〜３チャンネルの９月５日１９時から９月６日３時までのＥＰＧが表示されている。そして、ＥＰＧの中には、ドラマＸと、連続テレビ番組である野鳥物語ＥＰ１〜４と、が表示されている。このＥＰＧにおける表示内容に関しては、後述の図４〜６と同じである。近年、放送が多チャンネル化することによって、テレビ番組の内容も多種多様化しているが、ユーザは、このEPGを利用することによって、録画予約を簡単に行うことができる。
なお、ユーザは、図３においてテレビジョン１０１の画面の外にある９月６日３時以降のＥＰＧを、カーソル１５をカーソルキーで下に動かすことによりテレビジョン１０１の画面に表示することができる。
【００３７】
次に、制御部４は、ＥＰＧの中に連続テレビ番組があるかどうか判定する（Ｓ２）。この判定は、テレビ番組の参照することにより行われる。又は、この判定は、ＥＰＧデータに記述されているシリーズＩＤが同じであるかどうかにより行われる。ＥＰＧの中に連続テレビ番組がなければ、制御部４は、録画予約の受付けを開始し（Ｓ６）、本処理を終了する。ユーザは、図３に示すＥＰＧを見ながら、テレビ番組を録画予約する。詳述すると、ユーザは、録画予約したいテレビ番組にカーソル１５を合わせ、カーソル１５を合わせたテレビ番組を予約受付キーで指定する。
【００３８】
一方、ＥＰＧの中に連続テレビ番組があれば、制御部４は、ＥＰＧの中の連続テレビ番組を、他のテレビ番組の表示形態と異なる第１の表示形態でテレビジョン１０１に表示させる（Ｓ３）。これにより、テレビジョン１０１において、例えば図４に示すようなEPGの画像が画面に表示される。この図では、連続テレビ番組である野鳥物語ＥＰ１〜４の番組名の背景色がねずみ色で表示されている。この表示形態の変更は、ＯＳＤ処理部１２で行われる。
なお、実施の際は、野鳥物語ＥＰ１〜４の番組名を示す文字の色を変えても構わない。
【００３９】
そして、制御部４は、連続テレビ番組が既に録画予約されているテレビ番組と重なる部分があるかどうか判定する（Ｓ４）。重なる部分がなければ、制御部４は、録画予約の受付けを開始し（Ｓ６）、本処理を終了する。この場合、ユーザは、図４に示すＥＰＧを見ながらテレビ番組を録画予約する。そのため、ユーザは連続テレビ番組をＥＰＧにおいて一目で識別できる。従って、連続テレビ番組の録画予約を行い易くすることができる。
【００４０】
なお、テレビ番組が録画予約されると、そのテレビ番組の属性情報（テレビ番組名、テレビ番組のチャンネル、テレビ番組の放送開始時刻および放送終了時刻等）が記憶部６に登録される。そして、テレビ番組の放送開始時刻になると、制御部４は、録画を開始する。
【００４１】
一方、連続テレビ番組が既に録画予約されているテレビ番組と重なる部分があれば、制御部４は、重なる部分を第２の表示形態でテレビジョン１０１に表示させる（Ｓ５）。これにより、テレビジョン１０１において、例えば図５に示すようなEPGの画像が画面に表示される。この図では、連続テレビ番組である野鳥物語ＥＰ１、２、４の番組名の背景色がねずみ色で表示されている。さらに、この図では、既に録画予約されているドラマＸの番組名の背景色と、ドラマＸに重なる野鳥物語ＥＰ３の番組名の背景色と、が黄色で表示されている。この表示形態の変更は、ＯＳＤ処理部１２で行われる。
【００４２】
最後に、制御部４は、録画予約の受付けを開始し（Ｓ６）、本処理を終了する。この場合、ユーザは、図５に示すＥＰＧを見ながらテレビ番組を録画予約する。そのため、ユーザは録画予約の重なる部分をＥＰＧにおいて一目で識別できる。従って、録画予約の失敗を減らすことができる。
【００４３】
また、本発明の実施形態は、以下の変形例を採用することができる。
【００４４】
（第１変形例）
図６に示すように録画予約の重なる部分について他の連続番組がある場合、野鳥物語ＥＰ３を第１の表示形態でテレビジョン１０１に表示させても良い。
【００４５】
（第２変形例）
操作部５に、ＥＰＧにおいて、連続テレビ番組を、図４に示すように第１の表示形態で表示するか、他のテレビ番組と同じ表示形態（図３参照）で表示するか、を切替える切替キーを設けても構わない。これにより、ユーザは、連続テレビ番組を、ＥＰＧ中で一目で識別できるようにするかどうか、自分の使用方法に応じて切替えできる。従って、ユーザの使い勝手が向上できる。
【図面の簡単な説明】
【００４６】
【図１】本発明の実施形態である光ディスク装置の主要な構成を示すブロック図
【図２】本発明の実施形態である光ディスク装置の制御部が行う動作を示すフローチャート
【図３】テレビジョン１０１に表示されるEPG画面の一例を示す図
【図４】テレビジョン１０１に表示されるEPG画面の一例を示す図
【図５】テレビジョン１０１に表示されるEPG画面の一例を示す図
【図６】テレビジョン１０１に表示されるEPG画面の一例を示す図
【符号の説明】
【００４７】
１−光ディスク装置
２−ピックアップヘッド
３−記録読取部
４−制御部
５−操作部
６−記憶部
７−表示部
１０−受信部
１１−音声出力部
１２−ＯＳＤ処理部
１３−画像出力部
１５−カーソル
１００−光ディスク
１０１−テレビジョン
【図１】
2009111560.tif 000003
【図２】
2009111560.tif 000004
【図３】
2009111560.tif 000005
【図４】
2009111560.tif 000006
【図５】
2009111560.tif 000007
【図６】
2009111560.tif 000008